(57)【要約】【課題】エレベータが設置される建物の構造に依存することなく、配線長を決められるようにするエレベータの昇降路配線方法を提供する。【解決手段】建物の壁面によって区画された空間に昇降路を形成する昇降路躯体の最上部構造物に上部配線分岐装置２６を配線長の基準位置に設置し、昇降路の上部に設置されるエレベータ制御装置の制御盤１７と上部配線分岐装置２６を接続し建物に依存しない配線長さを有する第１の主幹ケーブル２３を昇降路躯体および最上部構造物に沿って敷設し、上部配線分岐装置２６に接続され建物に依存しない配線長さを有する第２主幹ケーブル２４を前記昇降路の躯体に沿って鉛直方向に敷設する。【選択図】図１
2010208762.tif 000002
【特許請求の範囲】
【請求項１】
エレベータの昇降路にエレベータ制御装置、各階乗り場の呼び装置、センサ、スイッチなどの各種電気機器の間を接続、電力や信号伝送する配線を昇降路にそって配線する昇降路配線方法であって、
建物の壁面によって区画された空間に昇降路を形成する昇降路躯体の最上部構造物に上部配線分岐装置を配線長の基準位置に設置し、
前記昇降路の上部に設置されるエレベータ制御装置の制御盤と前記上部配線分岐装置を接続し建物に依存しない配線長さを有する第１の主幹ケーブルを前記昇降路躯体および最上部構造物に沿って敷設し、
前記上部配線分岐装置に接続され建物に依存しない配線長さを有する第２主幹ケーブルを前記昇降路の躯体に沿って鉛直方向に敷設したことを特徴とするエレベータの配線昇降路方法。
【請求項２】
前記昇降路躯体の下部に、前記第２主幹ケーブルの下端が接続され下部配線分岐装置を配線長の基準位置に設置し、前記下部配線分岐装置から昇降路の下部に配置される各種電気機器に接続される枝線を分岐させることを特徴とする請求項１に記載のエレベータの昇降路配線方法。
【請求項３】
前記第１主幹ケーブルは、前記鉛直方向に延びる配線経路を昇降路躯体にそって設け、前記昇降路に対して垂直に水平方向に延びる配線経路を前記最上部構造物に設けることを特徴とする請求項１に記載のエレベータの昇降路配線方法。
【請求項４】
前記上部配線分岐装置から分岐し昇降路最上部に配置される各種電気機器に接続される枝線の配線経路を前記最上部構造物に設けることを特徴とする請求項１に記載のエレベータの昇降路配線方法。
【請求項５】
前記下部配線分岐装置を１階乗り場付近の位置に設置し、前記下部配線分岐装置から前記鉛直方向に延びる枝線の配線経路を昇降路躯体にそって設け、前記昇降路に対して垂直に水平方向に延びる枝線の配線経路を昇降路のピット床面に設けることを特徴とする請求項１に記載のエレベータの昇降路配線方法。
【請求項６】
前記第２主幹ケーブルは、各階に設置される乗り場呼び装置の近くを通るように配線経路を設定することを特徴とする請求項１に記載のエレベータの昇降路配線方法。
【請求項７】
エレベータの昇降路にエレベータ制御装置、各階乗り場の呼び装置、センサ、スイッチなどの各種電気機器の間を接続、電力や信号伝送する配線を昇降路にそって配線する昇降路配線装置であって、
建物の壁面によって区画された空間に昇降路を形成する昇降路躯体の最上部構造物で配線長の基準位置に設置した上部配線分岐装置と、
前記昇降路の上部に設置されるエレベータ制御装置の制御盤と前記上部配線分岐装置を接続する主幹ケーフルであって前記昇降路躯体および最上部構造物に沿って敷設され建物依存しない配線長さを有する第１の主幹ケーブルと、
前記上部配線分岐装置に接続され前記昇降路の躯体に沿って鉛直方向に敷設した建物に依存しない配線長さを有する第２主幹ケーブルと、を備えることを特徴とするエレベータの昇降路配線装置。
【請求項８】
前記第２主幹ケーブルの下端が接続され、前記昇降路躯体の下部で配線長の基準位置に設置された下部配線分岐装置をさらに備え、前記下部配線分岐装置から昇降路の下部に配置される各種電気機器に接続される枝線が分岐することを特徴とする請求項７に記載のエレベータの昇降路配線装置。
【請求項９】
前記第１主幹ケーブルは、前記鉛直方向に延びる配線経路が昇降路躯体にそって設けられ、前記昇降路に対して垂直に水平方向に延びる配線経路が前記最上部構造物に設けられたことを特徴とする請求項１に記載のエレベータの昇降路配線装置。
【請求項１０】
上部配線分岐装置と下部配線分岐装置は、安全回路の信号電圧を視覚的に表示する表示手段を有する電圧測定装置を備えることを特徴とする請求項８に記載のエレベータの昇降路配線方法。
【請求項１１】
前記上部配線分岐装置と下部配線分岐装置は、蓋を開けたときにエレベータの制御装置に安全スイッチの遮断信号を送る安全装置を備えることを特徴とする請求項１０に記載のエレベータの昇降路配線方法。
【発明の詳細な説明】
【技術分野】
【０００１】
本発明は、エレベータの昇降路に配線を敷設するための配線方法および装置に関する。
【背景技術】
【０００２】
一般に、エレベータの設置された建物では、エレベータの運転に必要な各種の機器が各所に設置されている。具体的には、各階のエレベータホールに乗場呼び装置が設置されており、昇降路の最上部および最下部には終端階検出用のリミットスイッチが設けられている。最下部のピット内には照明用の電源設備やＰ波地震感知器などが設置されている。
【０００３】
また、エレベータの昇降路に沿って、エレベータの運転に必要な信号や電力等を伝達するための配線が敷設され、エレベータの制御盤と各種の電気機器が接続されている。特に、昇降路に沿って鉛直に設けられる主幹ケーブルは、電気機器と接続される枝線が多数本分岐している。
【０００４】
従来から、エレベータの昇降路に配線を敷設する作業の能率を高め、あるいは電線の無駄を無くすために、種々の改良、工夫が行われている。
【０００５】
例えば、特許文献１には、主幹ケーブルの内部電線に枝線を圧着して接続することにより、分岐接続部に配線荷重が掛からないようにし、主幹ケーブルにループ状の分岐部分を形成する必要をなくし、主幹ケーブルの配線長を短縮できるようにした配線方法が提案されている。
【０００６】
また、特許文献２には、電気機器に接続する電線の余長を無くすために、配線受け金具をガイドレールに取り付け、この配線受け金具に沿って配線経路を確立することが提案されている。
【特許文献１】特開２００４−６７３６１号公報
【特許文献２】特開２００７−１１９１１９号公報
【発明の開示】
【発明が解決しようとする課題】
【０００７】
エレベータの昇降路に配線を施すにあって問題になるのは、建物の躯体構造が建物ごとに異なっていることである。つまり、建物の躯体構造は建物ごとに独自の構造を持っているのに対して、エレベータの昇降路の方は、昇降路の長さや乗りかごの大きさなどによって規定されるものの同じ機種では同じになるという違いがある。
【０００８】
これを昇降路を上からみた図１１を参照して具体的に説明する。図１１において、参照符合１は乗りかごを示している。昇降路として利用されるのは、四方を建物の壁２で囲まれた空間である。乗りかご１は、かご用のガイドレール３ａ、３ｂに沿って昇降し、図示しないカウンタウェイトは、カウンタウェイト用のガイドレール４ａ、４ｂに沿って昇降する。参照番号５は、エレベータの制御盤を示している。
【０００９】
上述したように、建物の壁２で区画された空間の大きさは、建物ごとに異なってくるのに対して、乗りかご１の昇降路は、かご用のガイドレール３ａ、３ｂとカウンタウェイト用のガイドレール４ａ、４ｂの配置によって決まることになる。したがって、昇降路のレイアウトは建物によらずに一定であるのに、壁２で仕切られた昇降路外側の空間の大きさは建物によってさまざまである。
【００１０】
このような事情があるため、建物にエレベータの配線を手配する場合、手配担当者がその建物の図面と、エレベータのレイアウト図面とを対比しながら、配線の引き回しの手配を計画することになるが、現地の工事にて配線長が足りなくならないように、あらかじめ配線の余長分を見込んで長めに配線手配するのが通常である。
【００１１】
例えば、図１１において、具体的に説明すると、主幹ケーブルには壁２にそって鉛直方向に敷設される主幹ケーブル６と、制御盤５から壁２伝いに水平方向に延びる主幹ケーブル７があるが、この水平方向に延びる主幹ケーブル７は、建物の構造によって長さが変わってくることになる。また、鉛直方向に延びる主幹ケーブル１５から分岐する枝線も壁に沿って配線されるので建物の構造によって長さが変わってくる。このため、上述のようにあらかじめ配線の余長分を見込んで配線手配するために、無駄になる余長分の電線の量は高層ビルではかなりのものになるという問題があった。
【００１２】
そこで、本発明の目的は、前記従来技術の有する問題点を解消し、エレベータが設置される建物の構造に依存することなく、配線長を決められるようにするエレベータの昇降路配線方法および装置を提供することにある。
【課題を解決するための手段】
【００１３】
前記の目的を達成するために、本発明は、エレベータの昇降路にエレベータ制御装置、各階乗り場の呼び装置、センサ、スイッチなどの各種電気機器の間を接続、電力や信号伝送する配線を昇降路にそって配線する昇降路配線方法であって、建物の壁面によって区画された空間に昇降路を形成する昇降路躯体の最上部構造物に上部配線分岐装置を配線長の基準位置に設置し、前記昇降路の上部に設置されるエレベータ制御装置の制御盤と前記上部配線分岐装置を接続し建物に依存しない配線長さを有する第１の主幹ケーブルを前記昇降路躯体および最上部構造物に沿って敷設し、前記上部配線分岐装置に接続され建物に依存しない配線長さを有する第２主幹ケーブルを前記昇降路の躯体に沿って鉛直方向に敷設したことを特徴とするものである。
【００１４】
前記発明では、前記昇降路躯体の下部に、前記第２主幹ケーブルの下端が接続され下部配線分岐装置を配線長の基準位置に設置し、前記下部配線分岐装置から昇降路の下部に配置される各種電気機器に接続される枝線を分岐させるようにしてもよい。また、前記第１主幹ケーブルは、前記鉛直方向に延びる配線経路を昇降路躯体にそって設け、前記昇降路に対して垂直に水平方向に延びる配線経路を前記最上部構造物に設けるようにしてもよい。
【００１５】
また、本発明は、エレベータの昇降路にエレベータ制御装置、各階乗り場の呼び装置、センサ、スイッチなどの各種電気機器の間を接続、電力や信号伝送する配線を昇降路にそって配線する昇降路配線装置であって、建物の壁面によって区画された空間に昇降路を形成する昇降路躯体の最上部構造物で配線長の基準位置に設置した上部配線分岐装置と、前記昇降路の上部に設置されるエレベータ制御装置の制御盤と前記上部配線分岐装置を接続する主幹ケーフルであって前記昇降路躯体および最上部構造物に沿って敷設され建物依存しない配線長さを有する第１の主幹ケーブルと、前記上部配線分岐装置に接続され前記昇降路の躯体に沿って鉛直方向に敷設した建物に依存しない配線長さを有する第２主幹ケーブルと、を備えることを特徴とするものである。
【発明の効果】
【００１６】
本発明によれば、建物の構造に依存せずに、主幹ケーブルや枝線の配線長を上部配線分岐装置や下部配線分岐装置の位置を基準にして決めることが可能になるので、配線余長が少なくなるように配線手配において正確に配線長を把握し、効率よく無駄のない配線が可能になる。
【発明を実施するための最良の形態】
【００１７】
以下、本発明によるエレベータの昇降路配線方法および装置の実施形態について、添付の図面を参照しながら説明する。  
第１実施形態  
図１は、本発明の第１の実施形態が適用されるエレベータを示す。図１において、参照番号１０はエレベータの昇降路を示す。図２は、昇降路１０の最上部のレイアウトを示す図である。
【００１８】
参照番号１１は建物の壁面で、昇降路１０はこの壁面１１に四方を囲まれた空間に設けられる。昇降路１０には、かご用ガイドレール１２ａ、１２ｂやカウンタウェイト用ガイドレール１３ａ、１３ｂといったレールが上下に延びている。昇降路躯体は、これらのかご用ガイドレール１２ａ、１２ｂ、カウンタウェイト用ガイドレール１３ａ、１３ｂなどによって構築されている。
【００１９】
昇降路躯体の最上部には、図２に示すように、やぐら１４と呼ばれる構造物が設置されている。このやぐら１４は、四方組みした４枚の桁１５を含み、かご用ガイドレール１２ａ、１２ｂおよびカウンタウェイト用ガイドレール１３ａ、１３ｂに固定されている。エレベータの運転に必要なさまざま装置、電気機器のうち、巻上機のモータ１６はやぐら１４に設置されている。
【００２０】
エレベータ制御装置の制御盤１７は、やぐら１４の下にあってカウンタウェイト用レール１３ｂに固定されている。その他、主要な機器としては、昇降路躯体の最上部には、ガバナ１８や高ガル地震計１９などが設置されている。
【００２１】
昇降路１０の最下部には、主要な機器として、Ｐ波地震計２０がピットの床面２１に設置されている。また各階の乗り場には乗り場呼び装置２２が設置されている。
【００２２】
このような各所に設置されているエレベータ制御装置の制御盤１７、巻上機のモータ１６、各階の乗場に設置される乗場呼び装置２２、Ｐ波地震計２０などの各種電気機器の間を接続し、電力や信号伝送する配線は、次のように構成されている。
【００２３】
図１において、参照番号２３は、昇降路１０の上部に敷設される第１の主幹ケーブルを示し、参照番号２４は、昇降路の最上部から下まで鉛直方向に敷設される第２の主幹ケーブルを示す。第１主幹ケーブル２３と第２主幹ケーブル２４は、やぐら１４に設置されている上部配線分岐装置２６を介して接続されている。
【００２４】
まず、第１主幹ケーブル２３の一端は、制御盤１７に接続されている。そして、この第１主幹ケーブル２３は、カウンタウェイト用ガイドレール１３ｂにそって配線され、やぐら１４に到達したところで、やぐら１４の桁１５にそって水平に敷設されて上部配線分岐装置２６まで延びている。昇降路最上部付近に配置される各種電気機器への配線は、上部配線分岐装置２６から枝線２７が分岐し、やぐら１４の桁１５やガイドレールを伝わって、例えば、高ガル地震計１９など各所に延びるようになっている。
【００２５】
これに対して、第２主幹ケーブル２４は、上部配線分岐装置２６から下方に向かって昇降路躯体にそって下部配線分岐装置２８まで延びるようになっている。この第２主幹ケーブル２４の途中からは枝線２９が分岐し、各階に設置されている乗場呼び装置２２に接続されている。
【００２６】
そして、下部配線分岐装置２８は、かご用ガイドレール１２ａのブラケットなどに取り付けられており、ピットの床面２１に設置されているＰ波地震計２０などのセンサ類や、各種スイッチなどの電気機器へは、この下部配線分岐装置２８から延びる枝線３０によって配線がなされている。
【００２７】
次に、第１主幹ケーブル２３、第２主幹ケーブル２４と上部配線分岐装置２６、下部配線分岐装置２８を用いた配線の態様についてより具体的に説明する。
【００２８】
図１、図２において、昇降路躯体の最上部に設けられるやぐら１４には、上部配線分岐装置２６が所定の配線長の基準となる位置に設置される。なお、図３は、上部配線分岐装置２６が設置される昇降路１０の最上部を示す。  
第１主幹ケーブル２３の配線長は、次のようにして、上部配線分岐装置２６の位置を基準にして設定される。
【００２９】
図１に示すように、第１主幹ケーブル２３の配線経路のうち、垂直配線部２３ａの経路は、制御盤１７からカウンタウェイト用ガイドレール１３ｂを伝わって鉛直に延びる経路である。図２に示すように、第１主幹ケーブル２３の水平配線部２３ｂの経路は、昇降路躯体の最上部のやぐら１４を伝わって水平に延びる経路である。垂直配線部２３ａ、水平配線部２３ｂのいずれも昇降路躯体を配線経路に利用しているので、建物の構造に依存せずにその配線長を決めることが可能になる。すなわち、昇降路躯体の構造や制御盤１７の設置位置はエレベータの機種により統一されているので、上部配線分岐装置２３の位置を基準にして、それぞれ第１主幹ケーブル２３の垂直配線部２３ａと水平配線部２３ｂの配線長は建物の構造に関係なく決まることになる。
【００３０】
そして、昇降路最上部に設置された、例えば、高ガル地震計１９などのセンサ、スイッチへの配線についても、上部配線分岐装置２６から枝線２７を分岐させて、昇降路躯体にそって配線することにより、この枝線２７の配線長も上部配線分岐装置２６の位置を基準に決まることになる。このようにして、昇降路上部での配線について、建物の構造に依存せずに上部配線分岐装置２６の位置を基準に配線長を決めることができるので、配線余長が少なくなるように配線手配において正確に配線長を把握し、効率よい配線が可能になる。
【００３１】
同様に、上部配線分岐装置２６から下方に下部配線分岐装置２８まで鉛直に昇降路躯体にそって延びる第２主幹ケーブル２４についても、その配線長は、建物の構造に依存せずに、上部配線分岐装置２６と下部配線分岐装置２８の位置を基準に決めることができる。したがって、建物に依存せずに、配線長を統一化したり、配線手配の段階で第２主幹ケーブル２４の配線長についても正確に把握し、効率のよい配線が可能になる。
【００３２】
そして、昇降路最下部のピットの床面２１に設置された、例えば、Ｐ波地震計２０やローブ伸び検出スイッチなどのセンサ、スイッチへの配線についても、下部配線分岐装置２８から枝線３０を分岐させて、昇降路躯体を構成するかご用ガイドレール１２ｂにそってピットの床面２１まで配線することにより、この枝線３０の配線長も下部配線分岐装置２８の位置を基準に決まることになる。図４に示すように、ピットの床面２１では、バッファ３２の設置してあるバッファ固定台３３が昇降路躯体の最下部を構成し、枝線３０はこのバッファ固定台３３を伝ってＰ波地震計やロープ伸び検出スイッチ３１などの機器と接続される。このようにして、昇降路下部での配線について、建物の構造に依存せずに下部配線分岐装置２８の位置を基準に配線長を決めることができるので、配線余長が少なくなるように配線手配において正確に配線長を把握し、効率のよい配線が可能になる。
【００３３】
なお、下部配線分岐装置２８を設置する位置に関しては、図４に示すように、一階フロアレベルに設置することが好ましい。ピットに設置されるセンサやスイッチ類の電気機器は、ピットが冠水しても配線端子部に水が入り込まないよう防水構造になっているのに対して、下部配線分岐装置２８は、オプション仕様によりビット電気機器まての配線数が客先によって異なり、防水加工まで施すことがむずかしい。そこで、下部配線分岐装置２８の設置高さを一階フロアレベルにすることにより、冠水することがない高さに設置できる上に、下部配線分岐装置２８の配線作業も容易になる利点がある。
【００３４】
第２実施形態  
次に、本発明の第２実施形態について、図５を参照して説明する。  
上述した第１実施形態のエレベータは、オフィス用のビルに設置される乗用エレベータであるの対して、この第２実施形態は、集合住宅に設置される住居用エレベータに本発明を適用した実施形態である。
【００３５】
乗用エレベータと住居用エレベータとの大きな違いは、住居用エレベータでは、乗りかごにおいて、ドアと対向するかご側面にトランク部が設けられていることである。このため、乗りかごが最上階に停止したときに、トランク部が干渉しないように、制御盤１７や巻き上げ機のモータ１６の位置が乗用エレベータとは異なる位置に設置される。
【００３６】
このように制御盤１７などの機器の配置が変わっても、第１実施形態と基本的に同じ考え方で次のように配線を行うことができる。
【００３７】
すなわち、第１主幹ケーブル２３の鉛直配線部２３ａは、昇降路躯体にそって上にやぐら１４まで延び、水平配線部２３ｂはやぐら１４の桁１５にそって水平に敷設されて上部配線分岐装置２６まで延びている。昇降路最上部付近に配置される各種電気機器への配線は、上部配線分岐装置２６から枝線２７が分岐し、やぐら１４の桁１５やガイドレールを伝わって、例えば、高ガル地震計１９など各所に延びるようになっている。
【００３８】
また、第２主幹ケーブル２４は、上部配線分岐装置２６から下方に向かって昇降路躯体にそって下部配線分岐装置２８まで延びるようになっている。この第２主幹ケーブル２４の途中からは枝線２９が分岐し、各階に設置されている乗場呼び装置２１に接続されている。
【００３９】
そして、下部配線分岐装置２８からは枝線３０が延び、ピットの床面２１に設置されているＰ波地震計２０などのセンサ類や、各種スイッチなどの電気機器へ配線がなされている。
【００４０】
以上のように、エレベータの形式が変わっても、昇降降での配線について、建物の構造に依存せずに上部配線分岐装置２６と下部配線分岐装置２８の位置を基準に配線長を決めることができるので、配線余長が少なくなるように配線手配において正確に配線長を把握し、効率のよい配線が可能になる。
【００４１】
第３実施形態  
次に、本発明の第３実施形態について、図６を参照して説明する。  
上述した第１実施形態および第２実施形態が適用されるエレベータでは、各階の乗場呼び装置２２は、乗り込み口に向かって右側に配置されている。これは、乗場呼び装置２２の一般的な配置である。この配置に対応させて、第２主幹ケーブル２４が乗場呼び装置２２の付近を通るように、上部配線分岐装置２６を図２に示すように配置してある。
【００４２】
ところが、客先仕様によっては、乗場呼び装置２２を乗り込み口に向かって左側に配置することがある。
【００４３】
このような仕様に対応するには、第１主幹ケーブル２３を少し延長し、上部配線分岐装置２６を図６に示す位置に設置するとともに、第２主幹ケーブル２４が乗場呼び装置２２の付近を通るようにすればよい。これにより、乗場呼び装置２２に接続させる枝線の配線長を変更せずに短い配線長で勝手違いに仕様に対応することが可能になる。
【００４４】
第４実施形態  
次に、本発明の第４実施形態について、図７乃至図１０を参照して説明する。  この第４実施形態は、上部配線分岐装置２６と下部配線分岐装置２８の内部構成についての実施形態である。
【００４５】
図７は、上部配線分岐装置２６の内部構成の説明図である。制御盤１７から延びる第１主幹ケーブル２３の端末は、ケーブル固定具４３によって固定されるとともにコネクタ４４に接続されている。他方、第２主幹ケーブル２４の端末はコネクタ４５に接続されている。昇降路最上部に設置される個々のセンサ、スイッチなどの電気機器に接続される各枝線２７は、それぞれコネクタ４６、４７に接続される。コネクタ４４と、コネクタ４５、４６、４７の中間には電圧測定装置４２が設けられており、この上部配線分岐装置２６では配線が分岐するともに、それぞれの配線に流れる信号の電圧を監視できるうようになっている。
【００４６】
図８は、電圧測定装置４２で電圧を測定する安全回路の電圧の表示例を示す。第２主幹ケーブル２４を伝送されてくる安全回路の信号の例として、ピットに設置されるピット安全装置、ピット梯子スイッチ、ロープ伸び検出スイッチなどがある。これらのスイッチの一つ一つに対応させて、電圧測定装置４２には、ランプ低４７ａ、ランプ中４７ｂ、ランプ高４７ｃが設けられている。図９に示すように、ランプ低４７ａ、ランプ中４７ｂ、ランプ高４７ｃには異なる抵抗値をもつ抵抗４８ａ、４８ｂ、４８ｃが並列に接続されている。この場合、入力電圧が２４Ｖであれば、ランプ低４７ａはしきい値３Ｖ以上で点灯し、ランプ中４７ｂはしきい値２０Ｖで点灯し、ランプ高４７ｃは、しきい値２３．５Ｖで点灯するように、それぞれ抵抗４８ａ、４８ｂ、４８ｃの抵抗値が設定されている。
【００４７】
また、本実施形態の上部配線分岐装置２６では、安全回路信号の電圧を監視することに加えて、上部配線分岐安全装置５０が接続されている。この上部配線分岐安全装置５０は、電圧測定装置４２を介して第１主幹ケーブル２２と接続され、この第１主幹ケーブル２２を経由して、制御盤１７と接続されている。
【００４８】
この上部配線分岐安全装置５０は、上部配線分岐装置２６の蓋が開けられると、そのスイッチが遮断されるように構成されているので、制御盤１７によってスイッチの遮断が検出される。そして、制御盤１７は、乗りかごを上昇しないようにする。
【００４９】
なお、図１０は、下部配線分岐装置２８の内部構成を示す図であるが、下部配線分岐装置２８には、第２主幹ケーブル２４と枝線３０が接続される以外は、基本的に上部配線分岐装置２６と同じ構成になっているので、同一の構成要素には同一の参照符合を付してその説明は省略する。ただし、下部配線分岐安全装置５１に関しては、下部配線分岐装置２８の蓋が開けられると、そのスイッチが遮断され、制御盤２７によって乗りかごを下降しないように制御する。
【００５０】
以上のような第４実施形態によれば、次のような効果が得られる。  
図３に示すように、上部配線分岐装置２６を点検する場合、作業者１００は、乗りかご１０１の上面に乗って作業を行うことになるが、乗りかご１０１を作業し易い位置に停止させてから作業員１００は乗ることになる。そして、作業員１００が上部配線分岐装置２６の蓋を開けると、安全スイッチが遮断され、乗りかご１０１が上昇するの確実に防止できるように二重の安全チェックが働くので、作業員は１００は安心して作業を続けることができる。
【００５１】
また、上部配線分岐装置２６では、電圧測定装置４２のランプランプ低４７ａ、ランプ中４７ｂ、ランプ高４７ｃの点灯によって安全回路の信号の電圧レベルをテスターを用意していなくても、視覚的に把握することが可能になる。
【００５２】
図４に示すように、下部配線分岐装置２８を点検する場合、作業者１００は、ピットに降りて作業を行うことになるが、作業員１００は下部配線分岐装置２６の蓋を開けると、安全スイッチが遮断され、乗りかごが下降するの確実に防止できるように二重の安全チェックが働くので、作業員は１００は安心して作業を続けられ、また、安全回路の信号の電圧レベルを視覚的にることができる点は同様である。
【図面の簡単な説明】
【００５３】
【図１】本発明の第１実施形態によるエレベータ昇降路の配線状況を示す斜視図である。
【図２】同エレベータ昇降路の最上部のレイアウトを示す平面図である。
【図３】同エレベータ昇降路の最上部での上部配線分岐装置の取り付け位置を示す説明図。
【図４】同エレベータ昇降路の最下部での下部配線分岐装置の取り付け位置を示す説明図。
【図５】本発明の第２実施形態によるエレベータ昇降路の配線状況を示す斜視図である。
【図６】本発明の第３実施形態によるエレベータ昇降路の最上部のレイアウトを示す平面図である。
【図７】上部配線分岐装置の内部構成の説明図。
【図８】上部配線分岐装置の電圧測定装置の表示ランプの説明図。
【図９】表示ランプの抵抗を示す回路図である。
【図１０】下部配線分岐装置の内部構成の説明図。
【図１１】従来のレベータ昇降路の最上部のレイアウトを示す平面図である。
【符号の説明】
【００５４】
１０  昇降路
１１  建物の壁面
１４  やぐら
１５  桁
１６  巻上機のモータ
１７  制御盤
１９  高ガル地震計
２０  Ｐ波地震計
２２  乗場呼び装置
２３  第１主幹ケーブル
２４  第２主幹ケーブル
２６  上部配線分岐装置
２８  下部配線分岐装置
【図１】
2010208762.tif 000003
【図２】
2010208762.tif 000004
【図３】
2010208762.tif 000005
【図４】
2010208762.tif 000006
【図５】
2010208762.tif 000007
【図６】
2010208762.tif 000008
【図７】
2010208762.tif 000009
【図８】
2010208762.tif 000010
【図９】
2010208762.tif 000011
【図１０】
2010208762.tif 000012
【図１１】
2010208762.tif 000013